(57)【要約】【課題】ディスプレイを装置本体の前面パネルの手前側に支持する車載装置において、装置本体へのディスプレイの取付作業の効率を向上させることができる車載装置を提供すること。【解決手段】ディスプレイ（２０）を装置本体（１０）の前面パネル（１１）の手前側に支持する車載装置（１）において、装置本体（１０）に対してディスプレイ（２０）を取り付けるための取付片（３１）と、取付片（３１）を装置本体（１０）の前面部（１１）に固定するネジ（３７）と、取付片（３１）で支持されたディスプレイ（２０）を表示画面（２１）の面内で回転させる回転機構（５０）とを備える。回転機構（５０）でディスプレイ（２０）を回転させることで、取付片（３１）における少なくともネジ（３７）の位置の前方にディスプレイ（２０）が重ならない前方開放状態が可能である。【選択図】図８
2019182060.tif 000002
【特許請求の範囲】
【請求項１】
車両の車室内のコンソールパネルに設けられた収容部に収容されて前面部が露出した状態で設置される装置本体と、
前面に表示画面を有するディスプレイと、
前記装置本体に対して前記ディスプレイを取り付けるための取付具と、
前記取付具を前記装置本体の前記前面部に固定する固定具と、
前記取付具で支持された前記ディスプレイを前記表示画面の面内で回転させる回転機構と、を備え、
前記回転機構で前記ディスプレイを回転させることで、前記取付具における少なくとも前記固定具の位置の前方に前記ディスプレイが重ならない前方開放状態が可能である
ことを特徴とする車載装置。
【請求項２】
前記ディスプレイの前記表示画面は長方形状であり、
前記ディスプレイは、初期位置から左右の少なくともいずれかに９０度の回転が可能であり、
前記初期位置で前記表示画面が横向きであり、前記初期位置から左右の少なくともいずれかに９０度回転すると前記表示画面が縦向きとなり、
前記表示画面が横向きで前記固定具の位置の前方に前記ディスプレイが重なった状態となる一方、
前記表示画面が縦向きで前記前方開放状態となる
ことを特徴とする請求項１に記載の車載装置。
【請求項３】
前記取付具は、前記ディスプレイ又は該ディスプレイに取り付けた部材の左右両側それぞれを支持する一対の取付片であり、
前記回転体が前記初期位置から左側に９０度回転すると、右側の前記取付片が前記前方開放状態となり、
前記回転体が前記初期位置から右側に９０度回転すると、左側の前記取付片が前記前方開放状態となる
ことを特徴とする請求項２に記載の車載装置。
【請求項４】
前記取付具を覆うカバー部材を備え、
前記カバー部材は、前記装置本体の前記前面部における前記取付具の周囲に係止される弾性を有する係止爪を備える
ことを特徴とする請求項１乃至３のいずれか１項に記載の車載装置。
【発明の詳細な説明】
【技術分野】
【０００１】
本発明は、車両の車室内に搭載されて映像再生装置や音楽再生装置、ナビゲーション装置等として用いられる車載装置に関し、詳細には、コンソールパネルの収容ボックス内に収容される装置本体と、この装置本体に連結された表示画面を有するディスプレイとを備える車載装置に関する。
【背景技術】
【０００２】
従来、車両（自動車）の車室内に搭載されて映像再生装置や音楽再生装置、ナビゲーション装置等として用いられる車載装置として、例えば特許文献１に示すような、車室内の運転席付近に設けたコンソールパネルに設置するディスプレイ付きの車載装置がある。この種の車載装置は、コンソールパネルの収容ボックスに装置本体を埋め込んで取り付ける。このような埋込型の車載装置では、装置の寸法は収容ボックスの寸法に依存する。そのため、収容ボックスの寸法である２ＤＩＮサイズのものが主流である。
【０００３】
しかしながら、例えば２ＤＩＮサイズの埋込型の車載装置の場合、装置の前面パネル（全面部）に設ける表示画面のサイズは、２ＤＩＮサイズに収まる７インチ以内のサイズとなってしまう。装置の前面パネルに操作スイッチ等を配置すると、その分さらに表示画面サイズが小さくなってしまう。
【０００４】
また、上記のような車載装置として、従来、装置本体とディスプレイ（表示画面）とを分離して、ディスプレイを装置本体の前面パネルよりも手前側に張り出した位置に支持するタイプの車載装置がある。このような車載装置として、例えば特許文献２に示す車載装置がある。このタイプの車載装置であれば、装置本体の前面パネルのサイズに制限を受けることなく表示画面のサイズを設定することができるので、大画面のディスプレイとすることも可能である。
【０００５】
ところで、ディスプレイを装置本体の前面パネルよりも手前側に支持するタイプの車載装置では、装置本体にディスプレイを取り付ける取付金具をネジなどの固定具で装置本体の前面パネルに固定して取り付けるようになっている。通常、この取付金具の取り付けは、まず、装置本体をコンソールパネルの収容ボックスに収容して設置し、その後、装置本体の前面パネルに固定金具をネジの締結で取り付ける、という手順で行われる。
【０００６】
しかしながら、上記のネジを締結する際、ネジの前方にディスプレイが重なった状態となっているため、ディスプレイが邪魔になることで、ドライバーなど長尺の工具を前方からネジの位置に差し込むことができずネジの締結が行い難いという問題がある。また、取付金具に被せて取り付けるカバー部材などネジ以外の部品に対しても、それらを持った手や指を前面側から差し入れて取り付けることができないため、取り付けや取り外しの作業が行い難い。特に、大型のディスプレイでは、取付金具やネジの前方が完全にディスプレイで塞がれてしまうため、ドライバーなどの工具でネジに対して正面からのみでなく斜め前方からもアクセスすることが難しい状態となる。
【０００７】
そのため、従来は、装置本体の側方から、取付金具とディスプレイとの隙間にＬ字型のドライバーなどの特殊な工具を指し込むことでネジにアクセスし、ネジの締結を行っていた。しかしながらこの手法では、通常のドライバーなど以外の特殊な形状の工具が必要となるうえに、工具を少しずつしか回転させることができないため、角度を変えて何度もネジに係合させて少しずつネジを締め付ける必要があり、作業効率が悪い、という問題があった。また、カバー部材に関しても、装置本体の側方から差し入れた手や指で取り付けを行っていたため、その取り付けの作業性があまり良くなかった。
【先行技術文献】
【特許文献】
【０００８】
【特許文献１】特開平１０−１６６９５７号公報
【特許文献２】特開２００５−１１９４９１号公報
【発明の概要】
【発明が解決しようとする課題】
【０００９】
本発明は上述の点に鑑みてなされたものであり、その目的は、ディスプレイを装置本体の前面パネルの手前側に支持する車載装置において、装置本体へのディスプレイの取付作業の効率を向上させることができる車載装置を提供することにある。
【課題を解決するための手段】
【００１０】
上記課題を解決するため、本発明にかかる車載装置は、車両の車室（１２０）内のコンソールパネル（１００）に設けられた収容部（１０１）に収容されて前面部（１１）が露出した状態で設置される装置本体（１０）と、前面に表示画面（２１）を有するディスプレイ（２０）と、前記装置本体（１０）に対して前記ディスプレイ（２０）を取り付けるための取付具（３１）と、前記取付具（３１）を前記装置本体（１０）の前記前面部（１１）に固定する固定具（３７）と、前記取付具（３１）で支持された前記ディスプレイ（２０）を前記表示画面（２１）の面内で回転させる回転機構（５０）と、を備え、前記回転機構（５０）で前記ディスプレイ（２０）を回転させることで、前記取付具（３１）における少なくとも前記固定具（３７）の位置の前方に前記ディスプレイ（２０）が重ならない前方開放状態が可能であることを特徴とする。
【００１１】
本発明にかかる車載装置によれば、回転機構（５０）でディスプレイ（２０）を回転させることで、取付具（３１）における少なくとも固定具（３７）の位置の前方にディスプレイ（２０）が重ならない前方開放状態が可能であることで、固定具で取付具を固定する際には、ディスプレイを回転させて上記前方開放状態とすることで、固定具の前方にディスプレイが重ならない状態で当該固定具の固定を行うことができる。これにより、例えば、固定具がネジである場合には、当該ネジに前方からドライバーを係合させ、その状態でドライバーを回してネジを締め付けることができる。したがって、ネジの締結の作業が行い易くなるので、装置本体に対する取付具によるディスプレイの取り付けを簡単な作業でかつ短時間で行うことができる。また、通常のドライバーなど汎用の工具のみでネジの締結を行うことができるので、特殊な工具を必要としない。したがって、装置本体へのディスプレイの取付作業の効率を向上させることができる。
【００１２】
また、この車載装置では、前記ディスプレイ（２０）の前記表示画面（２１）は長方形状であり、前記ディスプレイ（２０）は、初期位置から左右の少なくともいずれかに９０度の回転が可能であり、前記初期位置で前記表示画面（２１）が横向きであり、前記初期位置から左右の少なくともいずれかに９０度回転すると前記表示画面（２１）が縦向きとなり、前記表示画面（２１）が横向きで前記固定具（３７）の位置の前方に前記ディスプレイ（２０）が重なった状態となる一方、前記表示画面（２１）が縦向きで前記前方開放状態となるようにしてもよい。
【００１３】
この構成によれば、長方形状のディスプレイを備えた車載装置において、回転機構でディスプレイを回転させて縦向きにすることで、固定具の前方を開放して当該固定具の固定による取付具の取り付けや固定具の固定の解除による取り外しを行うことができる。したがって、装置本体に対する取付具の取り付けや取り外しをより簡単な作業で効率的に行うことができる。
【００１４】
また、この車載装置では、前記取付具（３１）は、前記ディスプレイ（２０）又は該ディスプレイ（２０）に取り付けた部材（３２）の左右両側それぞれを支持する一対の取付片（３１,３１）であり、前記回転体（４４）が前記初期位置から左側に９０度回転すると、右側の前記取付片（３１）の前記固定具（３７）の位置が前記前方開放状態となり、前記回転体（４４）が前記初期位置から右側に９０度回転すると、左側の前記取付片（３１）の前記固定具（３７）の位置が前記前方開放状態となるようにしてもよい。
【００１５】
この構成によれば、ディスプレイを左右それぞれに９０度回転させるだけで、左右一対の取付片それぞれを固定する固定具の前方を開放することができるので、左右一対の取付片の装置本体への取り付け又は取り外しを簡単に行うことができる。
【００１６】
また、この車載装置では、前記取付具（３１）を覆うカバー部材（３８）を備え、前記カバー部材（３８）は、前記装置本体（１０）の前記前面部（１１）における前記取付具（３１）の周囲に係止される弾性を有する係止爪（３８ｃ）を備えるようにしてもよい。
【００１７】
この構成によれば、ディスプレイを回転させることでカバー部材の前面を開放することができるので、カバー部材を装置本体の前面側から操作することができ、カバー部材の取り付け又は取り外しの操作が非常に行い易くなる。したがって、係止爪の係止を伴うカバー部材の取り付け又は係止爪の係止の解除を伴うカバー部材の取り外しを簡単に行うことができる。
なお、上記の括弧内の符号は、後述する実施形態の対応する構成要素の符号を本発明の一例として示したものである。
【発明の効果】
【００１８】
本発明にかかる車載装置によれば、ディスプレイを装置本体の前面パネルの手前側に支持する車載装置において、装置本体へのディスプレイの取付作業の効率を向上させることができる。
【図面の簡単な説明】
【００１９】
【図１】本発明の一実施形態にかかる車載装置の設置状態（車両に搭載した状態）を示す図である。
【図２】車載装置の外観構成を示す図で、（ａ）は、正面図、（ｂ）は、側面図、（ｃ）は、平面図である。
【図３】車載装置の連結部の内部構造を示す図で、（ａ）は、正面図、（ｂ）は、側面図、（ｃ）は、平面図である。
【図４】連結部の詳細構成を示す図で、図３（ｂ）のＢ部分拡大図（断面図）である。
【図５】連結部の詳細構成を示す図で、図３（ｃ）のＣ部分拡大図である。
【図６】揺動機構の動作を説明するための図で、（ａ）は、ディスプレイを上向きに揺動させた場合、（ｂ）は、ディスプレイを下向きに揺動させた場合を示す図である。
【図７】（ａ）は、右回転規制板を示す斜視図、（ｂ）は、左回転規制板を示す斜視図である。
【図８】右回転規制板を取り付けた状態での回転機構の動作を説明するための図である。
【図９】左回転規制板を取り付けた状態での回転機構の動作を説明するための図である。
【図１０】ディスプレイを装置本体に取り付ける手順を説明するための図である。
【図１１】ディスプレイを装置本体に取り付ける手順を説明するための図である。
【図１２】ディスプレイを装置本体に取り付ける手順を説明するための図である。
【図１３】ディスプレイを縦向きにした状態を示す図である。
【発明を実施するための形態】
【００２０】
以下、添付図面を参照して本発明の実施形態を詳細に説明する。図１は、本発明の一実施形態にかかる車載装置の設置状態（車両に搭載した状態）を示す図である。また、図２は、車載装置の外観構成を示す図で、（ａ）は、正面図、（ｂ）は、側面図、（ｃ）は、平面図である。また、図３は、車載装置の連結部の内部構造を示す図で、（ａ）は、正面図、（ｂ）は、側面図、（ｃ）は、平面図である。これらの図に示す本実施形態の車載装置１は、車両（自動車）の車室１２０内に搭載されて映像再生装置や音楽再生装置、ナビゲーション装置等として用いられる装置である。
【００２１】
図１に示すように、車載装置１は、車室１２０内の運転席１１０の近傍、詳細には、インストルメントパネル１０５の中央に配置されたコンソールパネル１００に組み込まれて設置される装置である。この車載装置１は、装置本体１０と、ディスプレイ２０と、これら装置本体１０とディスプレイ２０を連結する連結部３０とを備えている。装置本体１０は、その前面パネル（前面部）１１のみが露出した状態でコンソールパネル１００の収容ボックス（収容部）１０１内に収容されている。収容ボックス１０１のサイズは、一例として２ＤＩＮサイズとすることができるが、これに限定されず、１ＤＩＮサイズあるいはその他のサイズであってもよい。ディスプレイ２０は、装置本体１０の前面パネル１１のサイズ（２ＤＩＮサイズ）よりも大きいサイズの表示画面２１を有するものが望ましい。ディスプレイ２０の表示画面２１のサイズは、一例として１０インチ以下とすることができる。なお、以下の説明で前又は後というときは、図２（ｂ）に示す前又は後を指し、上又は下というときは、図２（ａ），（ｂ）に示す上又は下を指すものとし、左又は右というときは、図２（ａ），（ｃ）に示す左又は右を指すものとする。
【００２２】
また、ディスプレイ２０の表示画面２１は、タッチパネル式の表示画面である。タッチパネル式の表示画面２１は、図示しない制御部（制御回路）の制御に基づき各種表示を行う表示機構と、人の指が画面に接触するタッチ操作を検出する検出機構とを含む。表示機構は、具体的には、液晶パネルなどであり、ＬＣＤや有機ＥＬなどを含む。検出機構には、一例として静電容量式の検出機構を用いることができる。
【００２３】
連結部３０は、ディスプレイ２０を装置本体１０の前面パネル１１の手前側に張り出した位置に支持している。そして、連結部３０は、ディスプレイ２０を上下方向に揺動させる揺動機構（チルト機構）４０と、ディスプレイ２０を表示画面２１の面内で左右方向に回転させる回転機構５０とを備えている。
【００２４】
連結部３０の詳細構成について説明する。図４及び図５は、連結部３０の詳細構成を説明するための図で、図４は、図３（ｂ）のＢ部分拡大図（断面図）、図５は、図３（ｃ）のＣ部分拡大図である。なお、図３では装置の内部構造を点線で示しているが、図４では実線の断面図で示している。図５などに示すように、連結部３０は、装置本体１０の前面パネル１１から前方に突出して左右に所定間隔で配置された一対の取付片（取付具）３１，３１と、ディスプレイ２０の背面部２２に取り付けられてこれら一対の取付片３１，３１の間で上下に揺動可能に支持された揺動部３２とを備える。取付片３１，３１は、互いが対象な形状で、略Ｌ字型の板状部材であり、前面パネル１１に設けた略矩形状の窪みからなる被取付部１７に対して複数本（図では３本）のネジ３７の締結で固定される基部３１ａと、基部３１ａの一端辺（内側の端辺）から略直角に屈曲して前側へ延びる取付部３１ｂとを一体に備えている。
【００２５】
また、取付片３１，３１は、前面パネル１１に被せて取り付けたサイドカバー（カバー部材）３８，３８によって覆われている。サイドカバー３８は、前面パネル１１の被取付部１７及び取付片３１の基部３１ａに被せられる平板状の基部３８ａと、該基部３８ａに対して略直角に屈曲してその一端辺から突出する覆い部３８ｂとを一体に備えている。覆い部３８ｂは、取付片３１の取付部３１ｂ及びボルト３４の頭部を覆うようになっている。
【００２６】
揺動部３２は、外カバー３２ａで覆われており、その内部には、支持片３３が設けられている。支持片３３は、上方から見た断面形状が略コ字型で、両側の端辺３３ｂ，３３ｂと、これら端辺３３ｂ，３３ｂ同士を連結している中央の連結片３３ａ（図４参照）とを備えている。支持片３３の端辺３３ｂ，３３ｂは、一対の取付片３１，３１の取付部３１ｂ,３１ｂのそれぞれの内側に対向して設けられている。そして、上記の一対の取付片３１，３１それぞれと支持片３３の一対の端辺３３ｂ，３３ｂそれぞれとが複数のワッシャ３６を介してボルト３４とナット３５の締結で、該ボルト３４の軸周り（以下、単に「軸周り」という。）に回転自在に支持されている。ボルト３４はその軸方向が装置本体１０の左右方向（横方向）に延びている。これにより、揺動部３２が装置本体１０に対してボルト３４の軸周りに回動することで上下方向に揺動するようになっている。これにより、ディスプレイ２０の揺動機構４０が構成されている。
【００２７】
図６は、揺動機構４０の動作を説明するための図で、同図（ａ）は、ディスプレイ２０を上向きに揺動させた場合、同図（ｂ）は、ディスプレイ２０を下向きに揺動させた場合を示す図である。同図に示すように、連結部３０の揺動機構４０は、ボルト３４（以下、軸部３４という。）を中心にディスプレイ２０の表示画面２１が上方を向くように傾けたり、ディスプレイ２０の表示画面２１が下方を向くように傾けたりすることで、ディスプレイ２０を上下に揺動（チルト）させる（仰角を変える）ことができる。
【００２８】
すなわち、操作者がディスプレイ２０を持ち上げることで、ディスプレイ２０が軸部３４を中心に上向きに揺動する。これにより、ディスプレイ２０を起こす向き（図６（ａ）に示す向き）に傾けることができる。一方、操作者がディスプレイ２０を手前に倒すことで、ディスプレイ２０が軸部３４を中心に下向きに揺動する。これにより、ディスプレイ２０を倒す向き（図６（ｂ）に示す向き）に傾けることができる。このように、操作者がディスプレイ２０を手で持って上下に動かすことでディスプレイ２０の上下方向の向き（仰角）を変えることができる。操作者がディスプレイ２０から手を離すと、ディスプレイ２０はその位置（向き）で停止する。
【００２９】
なお、図２、３および図６に示すように、装置本体１０の前面パネル１１の上段には、電源ボタン１５、ＤＶＤやＣＤなどの媒体ディスクを挿入するためのディスク挿入口１２及びディスク取出ボタン１３が設けられおり、下段には、複数の操作ボタン１４が設けられている。これら電源ボタン１５、ディスク挿入口１２及びディスク取出ボタン１３、操作ボタン１４は、図２及び図３に示すように、ディスプレイ２０の表示画面２１が垂直の状態、あるいは垂直よりも下向きに傾いた状態では、ディスプレイ２０の下端部によってその前方が遮られた状態となっている。したがってその状態では、ディスク挿入口１２をディスプレイ２０の手前側から視認できないか、電源ボタン１５を押して電源の入切を操作したり、ディスク取出ボタン１３を操作してディスク挿入口１２から媒体ディスク（図示せず）を出し入れしたりすることができない。そのため、電源ボタン１５を操作したり、媒体ディスクをディスク挿入口１２から出し入れしたりするには、操作者がディスプレイ２０を手で持ち上げることで、図６（ａ）に示すように、ディスプレイ２０を揺動機構４０の軸部３４を中心に上向き方向に揺動させて、装置本体１０の前面パネル１１の上部をディスプレイ２０の手前側から視認できる状態とする。この状態で、電源ボタン１５を操作したり、媒体ディスクをディスク挿入口１２から出し入れしたりすることができる。
【００３０】
また、図４に示すように、連結部３０は、揺動部３２内（外カバー３２ａ内）に設置した円筒状の筒状部材４１と、該筒状部材４１の外周に設置したコイルスプリング（付勢部材）４２と、外カバー３２ａの前端側に固定された略円形平板状の固定板４３と、ディスプレイ２０の背面部２２に固定されると共に固定板４３に対して同軸上で相対回転可能に支持された略円形平板状の回転板（回転体）４４とを備えている。筒状部材４１は、揺動部３２内の左右の中央において、その中心軸の軸方向が前後方向となるように配置されている。また、筒状部材４１は、前側部分が支持片３３の連結片３３ａ、固定板４３の中心及び回転板４４の中心、ディスプレイ２０の後壁２３をこの順に貫通しており、前端部４１ａの近傍が係止板５５でディスプレイ２０の後壁２３に係止されている。また、筒状部材４１の後端は、手前側に対して段状に拡径した係止部４１ｂとなっており、コイルスプリング４２は、この係止部４１ｂと支持片３３の連結片３３ａとの間に圧縮された状態で設置されている。これにより、回転板４４はコイルスプリング４２の付勢力で固定板４３に向けて付勢されており、固定板４３と回転板４４の対向する面同士がコイルスプリング４２の付勢力で押し当てられた状態で当接している。上記の回転板４４は、ディスプレイ２０を表示画面２１の面内で左右に回転させる回転機構５０を構成している。この回転機構５０によって、横向きのディスプレイ２０を左右に９０度ずつ回転させることで縦向きに切り替えることができる。
【００３１】
さらに、連結部３０は、回転板４４に設けた係合突起４４ａと、この係合突起４４ａに係合することで回転板４４の回転を規制する回転規制板（回転規制部材）４５（４５Ａ，４５Ｂ）と、固定板４３に設けた係合突起４３ａ１，４３ａ２とを備える。回転規制板４５は、揺動部３２の外カバー３２ａに設けた取付部３２ｂにネジ４９の締結で着脱可能に取り付けられる。
【００３２】
回転板４４は、外縁が円形の平板状部材であり、係合突起４４ａは、回転板４４の外縁から径方向の外側（真上方向）へ突出する小突起である。一方、回転規制板４５は、係合突起４４ａの左右の側面のうちいずれか一方の側面のみに当接することで回転板４４の一方向の回転のみを規制する規制片４８（図７に示す右規制片４８ａ又は左規制片４８ｂ）を備えている。また、固定板４３は、回転板４４と同一寸法の外形を有する外縁が円形の平板状部材であり、係合突起４３ａ１，４３ａ２は、固定板４３の外縁から径方向の外側（左右方向それぞれ）へ突出する一対の小突起である。
【００３３】
図７は、回転規制板４５を示す斜視図で、同図（ａ）は、右回転規制板４５Ａを示す図、同図（ｂ）は、左回転規制板４５Ｂを示す図である。回転規制板４５には、係合突起４４ａの右側の側面に当接することで回転板４４の右向きの回転を規制する右回転規制板４５Ａと、係合突起４４ａの左側の側面に当接することで回転板４４の左向きの回転を規制する左回転規制板４５Ｂとがある。右回転規制板４５Ａは、同図（ａ）に示すように、細長い平板状の上板部４６ａと、上板部４６ａの長手方向の両端近傍に形成した一対のネジ穴４７ａ，４７ａと、上板部４６ａの長端辺の一端側から略直角に屈曲して突出する右規制片４８ａとを備える。同様に、左回転規制板４５Ｂは、同図（ｂ）に示すように、細長い平板状の上板部４６ｂと、上板部４６ｂの長手方向の両端近傍に形成した一対のネジ穴４７ｂ，４７ｂと、上板部４６ｂの長端辺の他端側から略直角に屈曲して突出する左規制片４８ｂとを備える。
【００３４】
揺動部３２の取付部３２ｂは、右回転規制板４５Ａと左回転規制板４５Ｂのいずれか一方又は両方を取り付け可能に構成されている。したがって、取付部３２ｂに右回転規制板４５Ａのみを取り付けることで、回転板４４の右向きの回転が規制された状態となる。また、取付部３２ｂに左回転規制板４５Ｂのみを取り付けることで、回転板４４の左向きの回転が規制された状態となる。さらに、取付部３２ｂに右回転規制板４５Ａと左回転規制板４５Ｂの両方を取り付けることで、回転板４４の右向きの回転と左向きの回転の両方が規制された状態となる。
【００３５】
図８及び図９は、回転機構５０の動作を説明するための図であり、図８及び図９はそれぞれ、右回転規制板４５Ａと左回転規制板４５Ｂを取り付けた状態での回転機構５０の動作を説明するための図である。まず、図８を用いて右回転規制板４５Ａを取り付けた状態での回転機構５０の動作を説明する。図８（ａ）に示すように、回転機構５０の係合突起４４ａが回転板４４の真上に位置している状態では、ディスプレイ２０が横向きになっている。以下、この位置をディスプレイ２０の初期位置という。また、この初期位置でディスプレイ２０の中心Ｍ１と揺動部３２の筒状部材４１の中心（軸心）Ｍ２との左右方向の位置が一致している。そして、この初期位置からディスプレイ２０を右向きに回転させようとしても、その向きへの回転板４４の係合突起４４ａの移動が右規制片４８ａで規制されるため、ディスプレイ２０を右向きには回転させることができない。したがって、ディスプレイ２０は、左向きにのみ回転させることができる。ディスプレイ２０を左向きに回転させていくと、回転機構５０の係合突起４４ａが回転板４４の左上の斜め４５度の位置を通過し、最終的に、同図（ｂ）に示すように、回転機構５０の係合突起４４ａが回転板４４の左側の真横に位置している状態となり、その位置で係合突起４４ａが係合突起４３ａ１に当接して回転板４４の回転が停止する。この位置では、同図（ａ）の初期位置から係合突起４４ａが左向きに９０度回転した状態で、ディスプレイ２０が縦向きとなる。またこの位置では、ディスプレイ２０の中心Ｍ１は、装置本体１０の筒状部材４１の中心Ｍ２よりも左側にずれた位置となっている。したがって、ディスプレイ２０が装置本体１０に対して中心よりも左側に偏った位置で縦向きに支持された状態となる。
【００３６】
また、ディスプレイ２０を図８（ｂ）に示す位置（左側の縦位置）とすることで、装置本体１０の前面パネル１１に設けた右側の被取付部１７、及びそこに取り付けた右側の取付片３１の基部３１ａと該基部３１ａを固定するネジ３７が装置本体１０及びディスプレイ２０の前方から視認できる状態となっている。すなわち、右側の取付片３１の基部３１ａ及びネジ３７の前方にディスプレイ２０が重ならない状態となっている。これにより、後述する車載装置１を車両１のコンソールパネル１００に取り付ける工程において、右側の取付片３１を固定するネジ３７を締結する際、当該ネジ３７の前方を開放した状態で締結作業を行うことができる。
【００３７】
次に、図９を用いて左回転規制板４５Ｂを取り付けた状態での回転機構５０の動作を説明する。この場合は、図９（ａ）に示すディスプレイ２０が横向きである初期位置から、ディスプレイ２０を左向きに回転させようとしても、その向きの回転板４４の係合突起４４ａの移動が左規制片４８ｂで規制されるため、ディスプレイ２０を左向きには回転させることができない。したがって、図９（ａ）の初期位置からディスプレイ２０を図の右向きにのみ回転させることができる。こうして、ディスプレイ２０を右向きに回転させていくと、回転機構５０の係合突起４４ａが回転板４４の右斜め上４５度の位置を通過し、最終的に、同図（ｂ）に示すように、回転機構５０の係合突起４４ａが回転板４４の右側の真横に位置している状態となり、その位置で係合突起４４ａが係合突起４３ａ２に当接して回転板４４の回転が停止する。この位置では、ディスプレイ２０が縦向きとなる。またこの位置で、ディスプレイ２０の中心Ｍ１は、装置本体１０の筒状部材４１の中心Ｍ２よりも右側にずれた位置となっている。したがって、ディスプレイ２０が装置本体１０に対して中心よりも右側に偏った位置で縦向きに支持された状態となる。
【００３８】
そして、ディスプレイ２０を図９（ｂ）に示す位置とすることで、装置本体１０の前面パネル１１に設けた左側の被取付部１７、及びそこに取り付けた左側の取付片３１の基部３１ａと該基部３１ａを固定するネジ３７が装置本体１０及びディスプレイ２０の前方から視認できる状態となっている。すなわち、左側の取付片３１の基部３１ａ及びネジ３７の前方にディスプレイ２０が重ならない状態となっている。これにより、後述する車載装置１を車両１のコンソールパネル１００に取り付ける工程において、左側の取付片３１を固定するネジ３７を締結する際、当該ネジ３７の前方を開放した状態で締結作業を行うことができる。
【００３９】
なお、詳細な図示は省略するが、取付部３２ｂに右回転規制板４５Ａと左回転規制板４５Ｂの両方を取り付けた場合には、右回転規制板４５Ａの右規制片４８ａと左回転規制板４５Ｂの左規制片４８ｂとで回転板４４の係合突起４４ａの左右両側が挟まれた状態となるので、回転板４４は左右のどちらにも回動しない。したがって、回転機構５０は機能せず、ディスプレイ２０は初期位置において横向きで固定された状態となる。
【００４０】
次に、上記構成の車載装置１を車両のコンソールパネル１００に取り付ける手順を説明する。図１０乃至図１２は、この取付手順を説明するための図である。コンソールパネル１００への取り付け前の車載装置１は、左右の取付片３１を固定しているネジ３７が外されていることで、装置本体１０とディスプレイ２０とが分離した状態となっている。また、上記の右回転規制板４５Ａと左回転規制板４５Ｂは、いずれも取り外されている。これにより、回転機構５０でディスプレイ２０が横向きの所期位置から右側の縦位置（図９（ｂ）に示す位置）と左側の縦位置（図８（ｂ）に示す位置）との両方に回転可能な状態となっている。
【００４１】
この状態で、車載装置１を車両のコンソールパネル１００に取り付けるには、まず、装置本体１０のみをコンソールパネル１００の収容ボックス１０１に収容して取り付ける。その後、収容ボックス１０１に収容された装置本体１０の前面パネル１１に左右の取付片３１を固定することで、装置本体１０にディスプレイ２０を取り付ける。このとき、予め回転機構５０でディスプレイ２０の向きをまず右側の縦向きとしておく。そして、図１０に示すように、取付片３１の基部３１ａを装置本体１０の前面パネル１１に設けた被取付部１７にあてがうことで、ディスプレイ２０を装置本体１０の前面パネル１１の前側に配置する。この状態で、図１１に示すように、複数本（図では３本）のネジ３７を締結することで基部３１ａを被取付部１７に固定する。この際、ディスプレイ２０が図８（ｂ）に示す左側の縦位置に配置されていることで、右側の被取付部１７、及びそこに取り付けた右側の取付片３１の基部３１ａと該基部３１ａを固定するネジ３７の前方にディスプレイ２０が重ならない状態となっている。これにより、右側の取付片３１を固定するネジ３７を締結する際、ドライバー（図示せず）などの工具をネジ３７の正面からネジ３７に係合させて回転させることができるので、装置本体１０及びディスプレイ２０の前面側からの作業のみでネジ３７の締結を行うことができる。したがって、ネジ３７の締結を伴う取付片３１の固定作業が非常に行い易くなる。
【００４２】
ネジ３７の締結による右側の取付片３１の固定作業が完了したら、続けて、右側のサイドカバー３８を取り付ける。サイドカバー３８を取り付けるには、図１２に示すように、まず、サイドカバー３８の基部３８ａを被取付部１７及び取付片３１の基部３１ａに被せる。その際、サイドカバー３８の爪部（係止爪）３８ｃを被取付部１７に設けた溝部１７ｃに引っ掛けて係合させ、その状態で基部３８ａを取付片３１の基部３１ａに被せる。その後、サイドカバー３８の覆い部３８ｂを取付片３１の取付部３１ｂに被せる。こうして、サイドカバー３８の全体が取付片３１の全体を覆った状態で取り付けられる。
【００４３】
ここでは、ディスプレイ２０を上記の左側の縦位置としていることで、右側の取付片３１の前方が開放された状態となっている。したがって、サイドカバー３８の取り付けも装置本体１０及びディスプレイ２０の前方から行うことができる。したがって、サイドカバー３８の基部３８ａを前面パネル１１の被取付部１７に前方（正面）から指で押し込んで取り付けることができる。また、サイドカバー３８を取り外すには、溝部１７ｃに係合している爪部３８ｃの係合を解除する必要があるが、この作業も前面パネル１１の前方からの操作で行うことができる。これらにより、サイドカバー３８の取り付け及び取り外しの操作が非常に行い易くなる。
【００４４】
また、詳細な図示及び説明は省略するが、左側の取付片３１及びサイドカバー３８の取り付け及び取り外しも上記と同様の手順で行うことができる。すなわち、その場合は、回転機構５０でディスプレイ２０を回転させて図９（ｂ）に示す右側の縦位置に切り替える。これにより、左側の取付片３１を固定するネジ３７及び左側のサイドカバー３８の前方が開放されるので、当該ネジ３７の固定による取付片３１の取り付けやサイドカバー３８の取り付け等を容易に行うことができる。
【００４５】
以上説明したように、本実施形態の車載装置１によれば、回転機構５０でディスプレイ２０を回転させることで、取付片３１におけるネジ３７の位置の前方にディスプレイ２０が重ならない前方開放状態が可能であることで、取付片３１を固定するネジ３７を締結する際には、ディスプレイ２０を回転させて上記前方開放状態とすることで、ネジ３７の前方にディスプレイ２０が重ならない状態で当該ネジ３７の締結を行うことができる。これにより、ネジ３７に前方からドライバーを係合させ、その状態でドライバーを回してネジを締め付けることができる。したがって、ネジ３７の締結を伴う取付片３１の取り付けを簡単な作業でかつ短時間で行うことができる。また、通常のドライバーなど汎用の工具のみでネジ３７の締結を行うことができるので、特殊な工具を必要としない。したがって、装置本体１０へのディスプレイ２０の取付作業の効率を向上させることができる。
【００４６】
また、回転機構５０でディスプレイ２０を回転させることで、サイドカバー３８の前面を開放することができるので、サイドカバー３８や爪部３８ｃを装置本体１０の前面側から操作することができ、サイドカバー３８の取り付け又は取り外しの操作が非常に行い易くなる。したがって、爪部３８ｃの係止を伴うサイドカバー３８の取り付け、又は爪部３８ｃの係止の解除を伴うサイドカバー３８の取り外しを簡単に行うことができる。
【００４７】
また、本実施形態の車載装置１によれば、連結部３０の回転機構５０を用いることにより、ディスプレイ２０を左右方向に９０度ずつ回転させることができる。これにより、横向きのディスプレイ２０の位置（図１に示す位置）ではハザードスイッチ１０７の視認性や操作性が阻害されるような場合であっても、図１３に示すように、ディスプレイ２０を左右方向に回転させて縦向きとすることにより、ハザードスイッチ１０７の視認性や操作性を確保することが可能になる。また、横向きのディスプレイ２０の初期位置では、セレクトレバー１０９と干渉する場合（セレクトレバー１０９とディスプレイ２０が直接干渉しなくても、セレクトレバー１０９を操作する際に操作者の手がディスプレイ２０に当たるなど操作の妨げとなる場合を含む。）であっても、ディスプレイ２０を左右方向に回転させて縦向きとすることにより、セレクトレバー１０９との干渉を回避することが可能になる。あるいは、例えば、横向きのディスプレイ２０の初期位置ではセレクトレバー１０９と干渉しないが、右向きに回転させた位置（図９（ｂ）に示す位置）でのみセレクトレバー１０９と干渉する場合には、あらかじめ取付部３２ｂに右回転規制板４５Ａを取り付けておく。こうすることで、ディスプレイ２０が右向きに回転することを規制して、ディスプレイ２０の左向きの回転のみを許容することができるので、操作者が誤ってディスプレイ２０を右向きに回転させてしまいセレクトレバー１０９と干渉することを確実に防止できるようになる。
【００４８】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態の車載装置１は、ディスプレイ２０を表示画面の面内で回転可能に支持する回転機構と、ディスプレイを上下方向に揺動させる揺動機構４０の両方を備える場合を示したが、本発明の車載装置は、回転機構のみを備える構成であってもよい。また、回転機構５０の具体的な構成は一例であり、本発明の回転機構５０はディスプレイを表示画面の面内で回転可能に支持するものであれば、他の構成であってもよい。
【００４９】
また、図１０では、車載装置１を右ハンドル車に取り付けた場合を示したが、本発明の車載装置は、図示は省略するが、左ハンドル車に取り付けることも可能である。
【符号の説明】
【００５０】
１ 車載装置
１０ 装置本体
１１ 前面パネル
１２ ディスク挿入口
１３ ディスク取出ボタン
１４ 操作ボタン
１５ 電源ボタン
１７ 被取付部
２０ ディスプレイ
２１ 表示画面
２２ 背面部
３０ 連結部
３１，３１ 取付片（取付具）
３１ａ 基部
３１ｂ 取付部
３２ 揺動部
３２ａ 外カバー
３２ｂ 取付部
３３ 支持片
３４ ボルト（軸部）
３５ ナット
３６ ワッシャ
３７ ネジ
３８ サイドカバー
３８ｃ 爪部（係止爪）
４０ 揺動機構
４１ 筒状部材
４２ コイルスプリング
４３ 固定板（固定部材）
４３ａ（４３ａ１，４３ａ２） 係合突起
４４ 回転板（回転部材）
４４ａ 係合突起
４５ 回転規制板（回転規制部材）
４５Ａ 右回転規制板
４５Ｂ 左回転規制板
４６ａ，４６ｂ 上板部
４７ａ，４７ｂ ネジ穴
４８ 規制片
４８ａ 右規制片
４８ｂ 左規制片
４９ ネジ
５０ 回転機構
５５ 係止板
１００ コンソールパネル
１０１ 収容ボックス（収容部）
１０５ インストルメントパネル
１０７ ハザードスイッチ（操作スイッチ）
１０９ セレクトレバー
１１０ 運転席
１２０ 車室
【図１】
2019182060.tif 000003
【図２】
2019182060.tif 000004
【図３】
2019182060.tif 000005
【図４】
2019182060.tif 000006
【図５】
2019182060.tif 000007
【図６】
2019182060.tif 000008
【図７】
2019182060.tif 000009
【図８】
2019182060.tif 000010
【図９】
2019182060.tif 000011
【図１０】
2019182060.tif 000012
【図１１】
2019182060.tif 000013
【図１２】
2019182060.tif 000014
【図１３】
2019182060.tif 000015